(57)【特許請求の範囲】
【請求項１】
１枚の基紙にその対向する一方の両端を跨いで設けられた切取線により第１の領域と第２の領域に区画され、前記切取線で分離可能な伝票であって、
前記第１の領域は、前記基紙の片面に擬似接着層、上紙、粘着層、剥離紙が順に積層された構成から成り、
前記第１の領域内に前記基紙、前記擬似接着層および前記上紙を貫通し前記粘着層に達する第１のハーフカットで区画された第１の伝票と、前記基紙の隣接する２辺を連結し前記基紙、前記擬似接着層および前記上紙を貫通し前記粘着層に達する第２のハーフカットが設けられ、前記第２のハーフカットと基紙の隣接する２辺で区画された第２の伝票が配設され、さらに前記第２の伝票は前記基紙の隣接する２辺の任意の位置と前記第２のハーフカットを連結し前記基紙を貫通し前記擬似接着層に達する第３のハーフカットが設けられ、前記第３のハーフカットで区画された前記第２の伝票のいずれか一方の区画に前記基紙と前記擬似接着層との間に剥離層が設けられていることを特徴とする伝票。
【請求項２】
前記第１の伝票がメール便用配送伝票であり、前記第２の伝票が宅配便用配送伝票であることを特徴とする請求項１記載の伝票。
【発明の詳細な説明】
【技術分野】
【０００１】
本発明は、例えば、通信販売等において商品を配送する際に使用される伝票に関するものであり、１枚の伝票に用途の異なる複数の伝票が配設されて一体化された伝票に関する。詳しくは、１枚の伝票の中にメール便用配送伝票と宅配便用配送伝票を備えた形態であり、１枚の伝票でメール便と宅配便に兼用できる伝票に関する。
【背景技術】
【０００２】
従来、配送品の配送作業に際して用いられている配送伝票としては、複数枚からなる配達票、受領票等の綴り状の票片が挿入された構成からなり、ドットプリンタ等のインパクトプリンタ用として使用されている多パーツもの、配達票、受領票等が一体化されレーザービームプリンタ、サーマルプリンタ、インクジェットプリンタ等のノンインパクトプリンタ用として使用されているワンパーツものが知られている。
ワンパーツものは、多パーツものに比べノンインパクトプリンタが使用できるのでプリンタの印字スピードが速く生産性に優れ、多パーツのような複写伝票もなく印字が明確で判読し易く、通信販売等において商品を配送する際の配送伝票として多用されている。
【０００３】
このようなワンパーツもの伝票としては、配送伝票とその配送伝票で送付される配送品に関する情報が記載される伝票とが分離可能に形成され、配送伝票は、伝票基材、粘着層、剥離シートが積層されており、伝票基材の少なくとも一部は、粘着層から剥離可能とされた配送伝票付き帳票が知られている（例えば、特許文献１参照）。
【０００４】
しかし、従来の配送伝票は、用途別に専用の配送伝票が使用され、例えば、メール便用と宅配便用の場合、それぞれ別々の専用伝票を用い、別々のプログラムにてプリント出力されていた。そのため、用途別に専用の配送伝票を準備しなければならず、在庫管理に手間がかかり、また、プリント出力の際、それぞれの配送伝票に応じた切替作業を伴うものであり、煩わしいという問題がある。
【先行技術文献】
【特許文献】
【０００５】
【特許文献１】特開２００２−５２８６７号公報
【発明の概要】
【発明が解決しようとする課題】
【０００６】
そこで本発明は、上記問題を解決すべくなされたものであり、その目的とするところは用途別に専用伝票を用いることなく、一つの伝票に用途が異なる伝票を複数配設し、用途が異なっても一つの伝票で兼用可能なワンパーツもの伝票を提供することにある。
【課題を解決するための手段】
【０００７】
本発明は、上記課題を達成するために、請求項１記載の本発明は、１枚の基紙にその対向する一方の両端を跨いで設けられた切取線により第１の領域と第２の領域に区画され、前記切取線で分離可能な伝票であって、前記第１の領域は、前記基紙の片面に擬似接着層、上紙、粘着層、剥離紙が順に積層された構成から成り、前記第１の領域内に前記基紙、前記擬似接着層および前記上紙を貫通し前記粘着層に達する第１のハーフカットで区画された第１の伝票と、前記基紙の隣接する２辺を連結し前記基紙、前記擬似接着層および前記上紙を貫通し前記粘着層に達する第２のハーフカットが設けられ、前記第２のハーフカットと基紙の隣接する２辺で区画された第２の伝票が配設され、さらに前記第２の伝票は前記基紙の隣接する２辺の任意の位置と前記第２のハーフカットを連結し前記基紙を貫通し前記擬似接着層に達する第３のハーフカットが設けられ、前記第３のハーフカットで区画された前記第２の伝票のいずれか一方の区画に前記基紙と前記擬似接着層との間に剥離層が設けられていることを特徴とする伝票である。
【０００８】
また、請求項２記載の本発明は、請求項１記載の伝票において、前記第１の伝票がメール便用配送伝票であり、前記第２の伝票が宅配便用配送伝票であることを特徴とするものである。
【発明の効果】
【０００９】
本発明の伝票は、１枚の基紙にその対向する一方の両端を跨いで設けられた切取線により第１の領域と第２の領域に区画され、前記切取線で分離可能な伝票であって、前記第１の領域は、前記基紙の片面に擬似接着層、上紙、粘着層、剥離紙が順に積層された構成から成り、前記第１の領域内に前記基紙、前記擬似接着層および前記上紙を貫通し前記粘着層に達する第１のハーフカットで区画された第１の伝票と、前記基紙の隣接する２辺を連結し前記基紙、前記擬似接着層および前記上紙を貫通し前記粘着層に達する第２のハーフカットが設けられ、前記第２のハーフカットと基紙の隣接する２辺で区画された第２の伝票が配設され、さらに前記第２の伝票は前記基紙の隣接する２辺の任意の位置と前記第２のハーフカットを連結し前記基紙を貫通し前記擬似接着層に達する第３のハーフカットが設けられ、前記第３のハーフカットで区画された前記第２の伝票のいずれか一方の区画に前記基紙と前記擬似接着層との間に剥離層が設けられている構成とすることにより、ワンパーツもの伝票であり、ノンインパクトプリンタが使用でき高速印字が可能になるとともに、多パーツもの伝票のように票片の丁合工程が不要となる。
【００１０】
また、第１の領域に用途の異なる伝票を配設できるので一つの伝票で兼用が可能となり、用途別に専用の配送伝票を手配することがなく、在庫管理が簡素化できる。さらにプリント出力の際、伝票が兼用できるので伝票の切替作業が軽減される。
【図面の簡単な説明】
【００１１】
【図１】本発明に係る伝票の一実施形態を示す平面図である。
【図２】図１のＸ−Ｘ線断面図である。
【図３】図１のＹ−Ｙ線断面図である。
【図４】本発明に係る伝票の製造方法の実施状態を説明する図である。
【図５】図４のＺ−Ｚ線断面図である。
【発明を実施するための形態】
【００１２】
上記の本発明について、図面等を用いて以下に詳述する。
図１は本発明に係る伝票の一実施形態を示す平面図、図２は図１のＸ−Ｘ線断面図、図３は図１のＹ−Ｙ線断面図、図４は本発明に係る伝票の製造方法の実施状態を説明する図、図５は図４のＺ−Ｚ線断面図であり、図中の１は伝票、２は第１の領域、２’は配送伝票、３は第２の領域、３’は明細票、４は切取線、５は第１の伝票、５’はメール便用配送伝票、６は第２の伝票、６ａ、６ｂは２つに区画された伝票、６’は宅配便用配送伝票、６ａ’は宅配便用受領片、６ｂ’は宅配便用貼付片、７は第１のハーフカット、８は第２のハーフカット、８ａ、８ｂはハーフカット、９は第３のハーフカット、１０、２２ａ、２４ａはマージナル部、１１、２２ｂ、２４ｂは移送孔、２０は基紙、２１は擬似接着層、２２は上紙、２３は粘着層、２４は剥離紙、２５は剥離層、Ａ１，Ａ２，Ｂ１，Ｂ２は端縁をそれぞれ示す。
【００１３】
本発明に係る伝票１は、図１に示すように、端縁Ａ１、Ａ２、Ｂ１、Ｂ２を有する矩形状の１枚の基紙２０にその対向する一方の両端縁Ａ１，Ａ２を跨いで設けられた切取線４により第１の領域２と第２の領域３に区画され、切取線４で分離可能に連接されたワンパーツもの伝票の形態である。切取線４は例えばミシン目線等で形成される。
【００１４】
第１の領域２内には第１のハーフカット７で区画された第１の伝票５と、基紙２０の隣接する２辺である端縁Ｂ１，Ａ２を連結する第２のハーフカット８が設けられ、第２のハーフカット８と基紙２０の隣接する端縁Ｂ１，Ａ２で区画された第２の伝票６が配設されている。第２のハーフカット８は端縁Ａ２に平行なハーフカット８ａと端縁Ｂ１に平行なハーフカット８ｂとでくの字に構成されている。
さらに第２の伝票６は基紙２０の端縁Ｂ１と第２のハーフカット８を構成するハーフカット８ｂを連結する第３のハーフカット９が端縁Ａ２に平行に設けられ２つに区画された伝票６ａ、６ｂに区画されている。なお、第３のハーフカット９は端縁Ｂ１とハーフカット８ｂを連結して設ける例を示したがこれに限定されるものではなく端縁Ａ２とハーフカット８ａを連結して設けることもでき、端縁Ｂ１、Ａ２と第２のハーフカット８を連結する任意の位置に設けることができる。
【００１５】
本発明に係る伝票１の構造は、図２、図３に示すように第２の領域３は基紙２０のみからなり、第１の領域２は、基紙２０の片面に擬似接着層２１、上紙２２、粘着層２３、剥離紙２４が順に積層された構成である。
第１ハーフカット７および第２ハーフカット８は基紙２０、擬似接着層２１および上紙２２を貫通し、粘着層２３に達するように形成されており、このような構成にすることにより第１のハーフカット７で区画された第１の伝票５と、基紙２０の端縁Ｂ１，Ａ２を連結するハーフカット８ａ、８ｂで構成される第２のハーフカット８と基紙２０の隣接する端縁Ｂ１，Ａ２で区画された第２の伝票６とは、それぞれ剥離紙２４から剥離させることが可能となる。
【００１６】
第２の伝票６を２つに区画された伝票６ａ、６ｂに区画する第３のハーフカット９は図１、図３に示すように端縁Ａ２に平行に基紙２０を貫通し擬似接着層２１に達するように設けられている。第３のハーフカット９と第２のハーフカット８と基紙２０の端縁Ｂ１とで囲まれて一方の区画である伝票６ａには、図２、図３に示すように基紙２０と擬似接着層２１との間に剥離層２５が設けられている。このような構成とすることにより伝票６ａは、剥離層２５と擬似接着層２１との間で容易に剥離させることができ剥がし取ることが可能となる。また剥離層２５は第２のハーフカット８および第３のハーフカット９より少し広く設け、第２のハーフカット８および第３のハーフカット９が剥離層２５を貫通することが好ましい。
【００１７】
図１は、本発明に係る伝票１の一実施形態を示し、メール便用配送伝票５’と宅配便用配送伝票６’を一つの伝票で兼用する例を示し、第１の領域２を配送伝票２’とし、第１の伝票５はメール便用配送伝票５’とし、第２の伝票６は宅配便用配送伝票６’とし、第２の領域３を明細票３’とし、さらに宅配便用配送伝票６’をハーフカット９で２つの伝票に区画された一方の伝票６ａを宅配便用受領片６ａ’、他方の伝票６ｂを宅配便用貼付片６ｂ’とし、第２の領域３には、配送品に関する情報等を記載した明細票３’とした例を示す。但し、本願発明はこの例示に限定されるものではない。また、第２の領域３には切取用ミシン目線（図示しない）を設け、例えば、明細票３’をピックアップリストと明細書に区画することもできる。切取用ミシン目線（図示しない）は切取線４に平行あるいは直交して設けることができ、特に分離可能であれば形成方向は任意に形成できる。
また、メール便ラベル（メール便用配送伝票）以外の用途としては、返信宛名ラベルがある。返信宛名ラベルは、配送品に不良品があった場合などに返信先の宛名が記載されたラベルを配送品、配送袋、配送箱等に貼り付け返送できるものである。
【００１８】
本発明に係る一実施形態である伝票１は、図１に示すように、配送品、配送袋、配送箱等に直接に貼付される配送伝票２’と、配送伝票２’により配送される配送品に関する情報等が記載される明細票３’とが、切取線４で分離可能に連接されたワンパーツもの伝票である。
【００１９】
配送伝票２’にはメール便用配送伝票５’と宅配便用配送伝票６’が配設され一つの伝票で兼用可能なものである。メール便用配送伝票５’および宅配便用配送伝票６’は第１のハーフカット７および第２のハーフカット８により図２、図３に示すように剥離紙２４より剥離して露出させた粘着層２３面を配送品に貼付できる構成となっている。さらに宅配便用配送伝票６’は第３のハーフカット９により宅配便用受領片６ａと宅配便用貼付片６ｂに区画され、宅配便用受領片６ａには、配送人がお届け先の受取人から受領印を受けるときに、配送品から容易に剥がし取ることができる構成となっている。メール便用配送伝票５’の表面にはお届け先や依頼主の住所、氏名、電話番号や、発送年月日、配送内容などをノンインパクトプリンタでプリントできるようになっている。
宅配便用配送伝票６’の宅配便用受領片６ａおよび宅配便用貼付片６ｂの表面には、届け先欄、依頼主欄、配送品名欄、発送年月日欄、配送内容などを記入するための記入欄および配送業者の問い合わせ先情報欄などの固定情報欄が印刷されている。さらに宅配便用配送伝票６’には受領印欄が設けられている。そして、固定情報欄には明細書をプリントする際に、可変情報が同時にプリントされる。
【００２０】
明細票３’は、配送品を受け取った後、受取人が配送品の内容を確認するための商品一覧表であったり、納品書であったり、例えば通信販売業者が複数の注文品を箱詰めする際のピッキングリストであったり、あるいはそのいずれかの組合せ又は全てであったりするものである。
【００２１】
次に図１、図２、図３を参照しながら配送伝票２’の構造について説明する。
配送伝票２’（第１の領域２）は、図２、図３に示すように基紙２０の固定情報や可変情報が印刷ないしプリントアウトされた面とは反対側の面に擬似接着層２１、上紙２２、粘着層２３、剥離紙２４が順に積層された構成からなる。第１ハーフカット７および第２ハーフカット８は基紙２０から上紙２２を貫通し、粘着層２３に達するように形成されており、第１のハーフカット７で区画されたメール便用配送伝票５’と、基紙２０の端縁Ｂ１，Ａ２を連結するハーフカット８ａ、８ｂで構成される第２のハーフカット８と基紙２０の隣接する端縁Ｂ１，Ａ２で区画された宅配便用配送伝票６’とは、それぞれ剥離紙２４から剥離させることができる。
【００２２】
宅配便用配送伝票６’には、図３に示すように端縁Ｂ１と第２のハーフカット８を連結し端縁Ａ２に平行に第３のハーフカット９が設けられ、宅配便用受領片６ａ’と宅配便用貼付片６ｂ’に区画されている。
第３のハーフカット９は図１、図３に示すように基紙２０を貫通し擬似接着層２１に達するように設けられている。宅配便用受領片６ａ’に対応する領域の基紙２０の擬似接着層２１と対向する面には図３に示すように基紙２０と擬似接着層２１との間に剥離層２５が設けられている。このような構成とすることにより宅配便用受領片６ａ’は、剥離層２５と擬似接着層２１との間で容易に剥離させることができ剥がし取ることが可能となる。本発明に係る伝票１の一実施形態において、２つに区画された伝票６ａが宅配便用受領片６ａ’とされ、２つに区画された伝票６ｂが宅配便用貼付片６ｂ’とされた例を示す。
【００２３】
基紙２０には、印刷適性とプリンタによる印字適性及び搬送適性を有するものであれば使用でき、例えば、クラフト紙，上質紙，複写用紙，グラシン紙，パーチメント紙，レーヨン紙，コート紙，合成紙，樹脂が積層された積層紙等が好適に用いられ、厚さは、通常、２０〜２００μｍ程度である。基紙２０の表面に印刷される固定情報は、オフセット印刷、フレキソ印刷、グラビア印刷等により形成される。
【００２４】
剥離層２５は、宅配便用受領片６ａ’が擬似接着層２１から容易に剥離させるために設ける層であり、ポリエチレン，ポリプロピレン，ポリブチレン等のオレフィン系（共）重合体、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の樹脂が単独もしくは２つ以上混合して用いられる。形成方法は、これらの樹脂または混合物の溶液あるいは分散液をパートコートすることにより印刷インラインで形成することが好ましい。また、剥離層２５は着色剤で着色することもできる。剥離層の塗布量は通常０．１〜１０ｇ／ｍ2 （乾燥状態）である。また、擬似接着層２１との接着力は、剥離速度３００ｍｍ／ｍｉｎでＴ字剥離法で５〜２００ｇ／２５ｍｍ幅が望ましい。
【００２５】
擬似接着層２１は、基紙２０と上紙２２を接着させると共に、剥離層２５とは容易に剥離する層であり、擬似接着層２１にはポリウレタン、ポリ塩化ビニル、酢酸ビニル、アクリル樹脂、エチレン−酢酸ビニル共重合体、塩化ビニル−酢酸ビニル共重合体、ポリエステル等の樹脂が単独あるいは２つ以上混合して用いられる。これらの樹脂または混合物の溶液あるいは分散液をコートすることにより形成される。擬似接着層の塗布量は通常、０．５〜２０ｇ／ｍ2 である。また、上紙に情報を印刷して設ける場合もあり、例えば、宅配便用受領片６ａ’を剥離した後、上紙２２の擬似接着層２１と対向する面に印刷された情報を擬似接着層２１を透して目視可能とする必要があるので擬似接着層２１は透明もしくは半透明が好ましい。着色する場合には透明着色が好ましい。
【００２６】
上紙２２には、基紙２０と同様の材料が用いられる。
【００２７】
粘着層１６は、配送品に配送伝票を貼付可能とする層であり、アクリル系粘着剤、天然ゴム系粘着剤、合成ゴム系粘着剤、シリコーンゴム系粘着剤等を用いることができ、アクリル系粘着剤が好ましく用いられる。粘着層１６を形成する粘着剤の塗布量としては０．１〜５０ｇ／ｍ2 である。
【００２８】
剥離紙２４は、紙、不織布、プラスチックフィルム等から形成されており、剥離紙の粘着層２３側の面には、シリコーン系離型剤などにより剥離処理が施されている。剥離紙２４の厚さは、通常２０〜２００μｍ、好ましくは４０〜１００μｍ程度である。
【００２９】
次に、本発明の伝票の一製造方法について説明する。フォーム用印刷機を使用して、ロール状に巻き取られた基紙２０の表面に、メール便用配送伝票と、宅配便用受領票および宅配便用貼付片からなる宅配便用配送伝票とが所定の位置に配設された配送伝票や明細書等を備えた伝票をオフセット印刷、フレキソ印刷等の印刷方法で印刷を行い、宅配便用配送伝票の宅配便用受領票の位置に対応する基紙２０の裏面に見当合せして剥離層２５を印刷形成すると共に所定位置にミシン目からなる切取線４を形成する。一方、シリコーン等の離型処理をした剥離紙２４に粘着層２３を形成し、粘着層２３側に上紙２２を重ねて積層し、さらに上紙２２の表面に擬似接着層２１を形成し、図２に示すように擬似接着層２１面を基紙２０の剥離層２５が形成された面に重ね合わせて一体化する。
【００３０】
なお、基紙２０には図４に示すように両端にマージナル部１０が設けられ、マージナル部１０には、移送孔１１が形成され、上紙２２および剥離紙２４の片端には図５に示すようにマージナル部２２ａ、２４ａが設けられる共にマージナル部２２ａ、２４ａにはそれぞれ移送孔２２ｂ、２４ｂが形成されている。移送孔１１、２２ｂ、２４ｂを形成することにより印刷工程、丁合工程で各移送孔の位置合せをしてピンを通すことにより見当合せを可能とするものである。
【００３１】
丁合工程で所定の形状の切刃を搭載したダイロールで基紙２０、擬似接着層２１、上紙２２を貫通し粘着層２３に達する第１のハーフカット７、第２のハーフカット８を設け、さらに所定の切刃を搭載したダイロールで基紙２０、剥離層２５を貫通し擬似接着層２１に達する第３のハーフカット９を設け、その後、マージナル部１０，２２ａ，２４ａはスリットされて取り除かれ、基紙２０の流れ方向にシートカットされて図１に示す伝票１が製造される。
【００３２】
次に、本発明に係る伝票の一実施形態である配送伝票の使用方法について説明する。図１に示す伝票１をノンインパクトプリンタのフィーダーにセットし、伝票番号やお届け先や品名等の可変情報や配送に関する情報をプリントする。プリンタでの伝票１の進行方向は図４に示すように基紙２０の流れ方向と直角方向で且つ明細票３’（第２の領域３）がくわえ側（プリンタに先に進入する側）となるようにする方が伝票１の供給がスムーズになるので好ましい。なお、配送伝票２’において、メール便の場合には、メール便用配送伝票５’のみにプリントされ、宅配便の場合には、宅配便用配送伝票６’のみにプリントされるものであり、メール便と宅配便との伝票の切替やプリンタの切替準備が不要となり、煩わしさがなくなるものとなる。
【００３３】
配送に関する可変情報等がプリントされた伝票１は、通信販売会社や百貨店等の配送センターなどに送られる。配送センターでは、伝票１の明細票３’にプリントされた情報あるいはピッキングリスト等に基づいて、配送品をピックアップして配送箱に入れるとともに、伝票１を切取線４で切り離し、切り離した明細票３’も、配送箱に封入される。一方、切り離した配送伝票２’は、この配送箱に貼付され、配送品（図示しない）と一体にされる。
【００３４】
配送伝票２’が貼付された配送品は、運送会社のメール便や宅配便によってお届け先に配達される。その際、宅配便の場合には、図３に示すように宅配便用受領片６ａ’を配送伝票２’から剥離し、受領印欄に受領印が押印されて配達員によって運送会社の営業所に持ち帰られる。配達員が持ち帰った、受領印押印済みの宅配便用受領片６ａ’が、配達完了の証明として扱われるものである。
【符号の説明】
【００３５】
１                            伝票
２                            第１の領域
２’                          配送伝票
３                            第２の領域
３’                          明細票
４                            切取線
５                            第１の伝票
５’                          メール便用配送伝票
６                            第２の伝票
６ａ、６ｂ                    ２つに区画された伝票
６’                          宅配便用配送伝票
６ａ’                        宅配便用受領片
６ｂ’                        宅配便用貼付片
７                            第１のハーフカット
８                            第２のハーフカット
８ａ、８ｂ                    ハーフカット
９                            第３のハーフカット
１０、２２ａ、２４ａ          マージナル部
１１、２２ｂ、２４ｂ          移送孔
２０                          基紙
２１                          擬似接着層
２２                          上紙
２３                          粘着層
２４                          剥離紙
２５                          剥離層
Ａ１，Ａ２，Ｂ１，Ｂ２        端縁
【図１】
0005782935.tif 000002
【図２】
0005782935.tif 000003
【図３】
0005782935.tif 000004
【図４】
0005782935.tif 000005
【図５】
0005782935.tif 000006